(57)【特許請求の範囲】
【請求項１】
弁当箱収納用のバット容器であって、該バットは、弁当箱を床部上に平面的に複数個並べて収納すると共に、ヒーター上に載せられて、該弁当箱内の飲食材をヒーター加熱可能であり、
該弁当箱は、成形上必然的に、底面の四隅下に突起が突状足として、垂下形成されており、
該バットは、該弁当箱底面の四隅下の該突状足を埋設可能な穴部が、床部に多数設けられており、該ヒーターによる加熱に際し、該バット穴部への該弁当箱突状足の埋設により、該弁当箱底面が、該バット床部上に直接面接触し、両者間に間隙が存する事態は解消されること、を特徴とする弁当箱用のバット。
【請求項２】
請求項１において、該バット穴部は、該バット床部のコーナーに位置して、１本の該弁当箱突状足を埋設可能なものと、該バット床部のコーナー以外の部位に位置して、複数本の該弁当箱突状足を埋設可能なものと、を有していること、を特徴とする弁当箱用のバット。
【請求項３】
請求項１において、該バット穴部は、貫通穴よりなると共に、該バット床部の肉厚寸法が、該弁当箱突状足の上下寸法より大であること、を特徴とする弁当箱用のバット。
【請求項４】
請求項１において、該バット穴部は、溝やめくら穴を含む凹部よりなると共に、該凹部の底が、該弁当箱突状足に接触不能な深さよりなること、を特徴とする弁当箱用のバット。
【発明の詳細な説明】
【技術分野】
【０００１】
本発明は、弁当箱用のバットに関する。すなわち、複数の弁当箱を収納してヒーター加熱に供する、バットに関するものである。
【背景技術】
【０００２】
《従来技術》
図４の（１）図は、従来例のバットを示し、（２）図は、弁当箱を示す。（３）図は、従来例のバットの弁当箱収納状態を示す。図３の（２）図は、従来例のバットについて、弁当箱収納状態でヒーター加熱状態を示す。
これらの図面にも示したように、複数の弁当箱Ａを収納してヒーター１にて加熱する、バット２が従来より使用に供されている。
このバット２は、浅い容器状をなしており、弁当箱Ａを多数個まとめて収納して、ヒーター１による加熱に供される。すなわちバット２は、弁当箱Ａを床部３上に並べて収納すると共に、ヒーター１上に載せられ、もって弁当箱Ａ内の飲食材Ｂが、バット２を介しヒーター１にて加熱される。
【発明の概要】
【発明が解決しようとする課題】
【０００３】
ところで、このような従来のバット２については、次の問題が課題として指摘されていた。
《第１の問題点》
第１に、バット２と弁当箱Ａ間の接触面積が少ない、という問題が指摘されていた。
図３の（２）図にも示したように、ヒーター１の熱は、ヒーター１→バット２→弁当箱Ａ→飲食材Ｂへと、下から上へと伝達されるが、その途中において、バット２と弁当箱Ａ間の接触面積が少なかった。
すなわち、弁当箱Ａの底面Ｃ四隅下には突状足Ｄが存しており、バット２と弁当箱Ａとが接する箇所が、この小さな突状足Ｄのみとなっていた。弁当箱Ａの底面Ｃと、バット２の床部３との間には、間隙Ｈが存していた。
もって、バット２から弁当箱Ａへの熱伝導による熱伝達は、弁当箱Ａの小さな突状足Ｄのみを介して行われており、バット２と弁当箱Ａ間の接触面積が少なかった。
【０００４】
《第２の問題点》
第２に、もって加熱効率が悪い、という問題が指摘されていた。
上述したように、バット２と弁当箱Ａ間の接触面積が少ないので、両者間の熱伝達が不足し、熱の伝わりが悪かった。そこで、弁当箱Ａの飲食材Ｂの加熱に長時間を要し、その分だけ電気代も嵩み、加熱運用性，作業性も悪い、等々の指摘があった。
【０００５】
《本発明について》
本発明に係る弁当箱用のバットは、このような実情に鑑み、上記従来技術の課題を解決すべくなされたものである。
そして本発明は、第１に、バット床部上に弁当箱底面が直に面接触して、バットと弁当箱間の接触面積が増加し、第２に、もってバットから弁当箱への熱伝導性が向上して、加熱効率が向上する、弁当箱用のバットを提案することを目的とする。
【課題を解決するための手段】
【０００６】
《各請求項について》
このような課題を解決する本発明の技術的手段は、特許請求の範囲に記載したように、次のとおりである。
請求項１については、次のとおり。
請求項１の弁当箱用のバットは、弁当箱収納用の容器よりなる。そして該バットは、弁当箱を床部上に平面的に複数個並べて収納すると共に、ヒーター上に載せられて、該弁当箱内の飲食材をヒーター加熱可能である。
該弁当箱は、成形上必然的に、底面の四隅下に突起が突状足として、垂下形成されている。
該バットは、該弁当箱底面の四隅下の該突状足を埋設可能な穴部が、床部に多数設けられている。そして、該ヒーターによる加熱に際し、該バット穴部への該弁当箱突状足の埋設により、該弁当箱底面が、該バット床部上に直接面接触し、両者間に間隙が存する事態は解消されること、を特徴とする。
【０００７】
請求項２については、次のとおり。
請求項２の弁当箱用のバットでは、請求項１において、該バット穴部は、該バット床部のコーナーに位置して、１本の該弁当箱突状足を埋設可能なものと、該バット床部のコーナー以外の部位に位置して、複数本の該弁当箱突状足を埋設可能なものと、を有していること、を特徴とする。
請求項３については、次のとおり。
請求項３の弁当箱用のバットでは、請求項１において、該バット穴部は、貫通穴よりなると共に、該バット床部の肉厚寸法が、該弁当箱突状足の上下寸法より大であること、を特徴とする。
請求項４については、次のとおり。
請求項４の弁当箱用のバットでは、請求項１において、該バット穴部は、溝やめくら穴を含む凹部よりなると共に、該凹部の底が、該弁当箱突状足に接触不能な深さよりなること、を特徴とする。
【０００８】
《作用等について》
本発明は、このような手段よりなるので、次のようになる。
（１）弁当の提供サービスに先立ち、飲食材が入った弁当箱が、バットの床部上に、平面的に複数個並べて収納される。
（２）そして、このように弁当箱を収納したバットは、ヒーター上に載せられる。
（３）それから、弁当箱内の飲食材が、バットを介し、ヒーターにて加熱される。ヒーターの熱は、ヒーター→バット→弁当箱→飲食材へと、下から上へと熱伝導により伝達される。
（４）さて、このようなヒーターによる加熱に際し、本発明では、バットに設けられた貫通穴や凹部よりなる穴部に、弁当箱の突状足が埋設される。
（５）これにより、バットの床部上に、弁当箱の底面が直接面接触する。従来例のように、バットの床部と弁当箱の底面間に、弁当箱の突状足が介在し、両者間に間隙が存する事態は、解消される。両者は、直に面接触する。
（６）もって、バットと弁当箱間の接触面積が、大きく増加する。従来例のように、小さな突状足のみを介して、バットと弁当箱が接していたのに比し、両者の接触面積が大幅に増加する。
（７）従ってヒーターの熱が、バットの床部→弁当箱の底面→飲食材へと、広い接触面積の面接触のもとで、直に伝達される。
（８）本発明では、このように熱伝導性が向上し、熱の伝わり方が極めて良好となり、加熱効率が大きく向上する。
【発明の効果】
【０００９】
《第１の効果》
第１に、バットと弁当箱間の接触面積が増加する。
本発明の弁当箱用のバットは、弁当箱突状足を埋設可能な穴部が、床部に設けられている。そこでヒーター加熱に際し、バット穴部に弁当箱突状足を埋設することにより、弁当箱底面がバット床部上に、直に面接触する。
もって、バットと弁当箱間の接触面積が増加する。前述したこの種従来例のように、バットと弁当箱間が、小さな突状足の箇所のみにて接していたのに比し、両者間の接触面積が大幅に増加する。
【００１０】
《第２の効果》
第２に、もって加熱効率が向上する。
本発明の弁当箱用のバットは、上述したように、バットと弁当箱間の接触面積が、大幅に増加する。
もって、バットから弁当箱への熱伝導性が向上し、熱の伝わり方が良好となる。前述したこの種従来例のように、バットから弁当箱間の熱伝導が、小さな突状足のみを介して行われていたのに比し、加熱効率が大きく向上する。
もって、弁当箱の飲食材の加熱時間が短縮され、その分だけ電気代も削減され、加熱運用性，作業性も向上する。
このように、この種従来技術に存した課題がすべて解決される等、本発明の発揮する効果は、顕著にして大なるものがある。
【図面の簡単な説明】
【００１１】
【図１】本発明に係る弁当箱用のバットについて、発明を実施するための形態の説明に供し、（１）図は、第１例のバットの斜視図、（２）図は、弁当箱の斜視図であり、（３）図は、第１例のバットについて、弁当箱収納状態の斜視図である。
【図２】同発明を実施するための形態の説明に供し、バットの同第１例を示す。そして（１）図は、弁当箱収納状態の底面図、（２）図は、弁当箱収納状態でヒーター加熱状態の要部の正断面図である。
【図３】同発明を実施するための形態の説明に供し、（１）図は、第２例のバットについて、弁当箱収納状態でヒーター加熱状態の要部の正断面図である。（２）図は、従来例のバットの説明に供し、弁当箱収納状態でヒーター加熱状態の要部の正断面図である。
【図４】（１）図は、従来例のバットの説明に供し、斜視図であり、（２）図は、弁当箱の斜視図であり、（３）図は、従来例のバットについて、弁当箱収納状態の斜視図である。
【発明を実施するための形態】
【００１２】
以下、本発明を実施するための形態について、詳細に説明する。
《バット４について》
まず、弁当箱Ａ用のバット４について、図１，図２を参照して、一般的に説明する。
バット（ＶＡＴ）４は、浅い平皿容器状をなし、ランチボックスつまり弁当箱Ａを多数個まとめて収納すると共に、ヒーター１にて加熱され、もって弁当箱Ａの飲食材Ｂが、食事の提供サービスに供される。
すなわちバット４は、平坦な床部５と浅く立設された外周端縁６とが一体設されてなる。そして床部５上に、弁当箱Ａを平面的に複数個（図示例では１０個）、縦横（前後左右）に並べて収納すると共に、ヒーター１上に載せられる。
もって弁当箱Ａ内の飲食材Ｂが、バット４を介しヒーター１にて加熱される。そして、温められた弁当箱Ａ内の飲食材Ｂが、食事の提供サービスに供される。なお加熱には、保温も含まれる。
弁当箱Ａ内の弁当つまり飲食材Ｂとしては、御飯，おかず，その他の食材や、味噌汁，スープ，その他の飲料、等々が代表的である。勿論、食材と飲料のいずれか一方の場合、又は両方の場合もある。
ヒーター１としては、電気やガスにて鉄板を加熱するホットプレートや、電磁誘導加熱するＩＨヒーターが代表的である。バット４は、耐熱樹脂製や金属製よりなるが、ＩＨヒーター使用の場合は、ＩＨ用金属素材が用いられる。
【００１３】
弁当箱Ａの底面Ｃの四隅下には、突状足Ｄが存している。突状足Ｄは、いわゆる糸尻状をなし、垂下形成されている。
この突状足Ｄは、成形上必須的に形成される突起よりなる。なお突状足Ｄは、弁当箱Ａの使用後に行われる洗浄，乾燥に際し、上下に積み重ねられた弁当箱Ａ間に隙間を形成せしめ、もって各弁当箱Ａの乾燥促進に寄与する、という利点もある。
図示例の突状足Ｄは、上下寸法（高さ）Ｅ３ｍｍ〜４ｍｍ程度、横幅２０ｍｍ程度よりなる。
バット４の一般的説明については、以上のとおり。
【００１４】
《本発明の概要》
以下、本発明のバット４について、図１〜図３の（１）図を参照して説明する。まず、本発明の概要について説明する。
本発明に係る弁当箱Ａ用のバット４は、弁当箱Ａ底面Ｃの四隅下の突状足Ｄを埋設可能な穴部７が、床部５に多数設けられている。そして、ヒーター１による加熱に際し、このバット穴部７への弁当箱Ａの突状足Ｄの埋設により、弁当箱Ａの底面Ｃが、バット４の床部５上に直に面接触するようになっている。
すなわち弁当箱Ａについて、これまで熱伝達の障害となっていた突状足Ｄを、バット４側の穴部７に埋設して、下に落とすことにより、弁当箱Ａの底面Ｃが、バット４の床部５上に、直接面接触するようになる。
本発明の概要については、以上のとおり。以下、このような本発明について、更に詳述する。
【００１５】
《穴部７について》
まず、このようなバット４の穴部７について、説明する。
バット穴部７は、バット床部５の各コーナーに位置して、それぞれ、弁当箱Ａの１本の突状足Ｄを埋設可能なものと、バット床部５のコーナー以外の部位に位置して、それぞれ、複数本の突状足Ｄを埋設可能なものと、を有している。もって弁当箱底面Ｃが、バット床部５上に面接触するようになっている。
すなわち図示例において、バット床部５の四隅コーナーには、１本の突状足Ｄを埋設可能な穴部７が、それぞれ設けられている。これと共に、バット床部５の四隅以外の周端部には、２本の突状足Ｄを埋設可能な穴部７が、それぞれ設けられている。バット床部５の周端部以外の中央部には、４本の突状足Ｄを埋設可能な穴部７が、それぞれ設けられている（図２の（１）図を参照）。
【００１６】
ところで、このようにバット４に設けられる穴部７は、その位置や形状等について、若干ゆとりを持って設定される。
すなわち弁当箱Ａは、その製造メーカー毎に、弁当箱Ａ自体やその突状足Ｄの位置，形状，寸法サイズ，大きさ等が、ずれなくピッタリとは一致してはおらず、それぞれ異なっていることが多い。
そこで、このような弁当箱Ａを収納するバット４は、各種の弁当箱Ａや突状足Ｄに対応可能なように、その穴部７が設定される。一種類の同じバット４で、各種の弁当箱Ａに対応使用可能なように、床部５の穴部７は設定される。穴部７は、ゆとりを持った位置，形状，サイズ，大きさ等に設定される。
このように汎用性に富んだ穴部７が設けられたバット４を使用すると、各種弁当箱Ａ毎に専用品を用意する必要がなく、その数や種類が少なくて済む。
穴部７については、以上のとおり。
【００１７】
《各例について》
まず、図１，図２に示した例については、次のとおり。
図１，図２の例のバット４の各穴部７は、貫通穴よりなると共に、バット４の床部５の肉厚寸法Ｆが、弁当箱Ａの突状足Ｄの上下寸法Ｅより大に設定されている。もって弁当箱Ａの底面Ｃが、バット４の床部５上に面接触するようになっている（図２の（２）図を参照）。
すなわち、この穴部７は貫通穴よりなっている。そして、貫通穴よりなる穴部７の上下寸法、つまり床部５の肉厚寸法Ｆが、図示例では４．５ｍｍ〜５ｍｍ程度よりなっている。もって、突状足Ｄの図示例では３ｍｍ〜４ｍｍの上下寸法Ｅより、大となっている。
なお、図示例の穴部７は、バット４床部５に設けられた多数の貫通穴よりなっているが、これによらず、より少数の貫通穴とする例も考えられる。つまり、図示例の各々独立した貫通穴よりなる穴部７を、いくつか直線的に繋げて連通させた貫通穴とする例も可能である。
【００１８】
次に、図３の（１）図に示した例については、次のとおり。
図３の（１）図の例のバット４の穴部７は、溝やめくら穴を含む凹部よりなると共に、凹部よりなる穴部７の底が、弁当箱Ａの突状足Ｄに接触不能な深さＧよりなっている。もって弁当箱Ａの底面Ｃが、バット４の床部５上に面接触するようになっている。
すなわち、この穴部７は、有底の窪み凹部よりなっている。そして、この凹部よりなる穴部７の底までの深さＧが、突状足Ｄの上下寸法Ｅより、大となっている。つまり、凹部製の穴部７の底は、突状足Ｄに接触不能な深さＧとなっている。
なお、図示例の穴部７は、バット４の床部５に設けられた多数の凹部よりなっているが、これによらず、より少数の凹部条穴とする例も考えられる。つまり、各々独立した凹部よりなる穴部７を、いくつか直線的に繋げて連通させた凹部条穴とする例も可能である。
なお、このような凹部よりなる穴部７という表現は、これに代え、次のように表現することも可能である。すなわち、バット４の床部５の方を、対応する弁当箱Ａの突状足Ｄ部分を除き降起させた、として把握し表現することも可能である。
各例については、以上のとおり。
【００１９】
《作用等》
本発明の弁当箱Ａ用のバット４は、以上説明したように構成されている。そこで以下のようになる。
（１）弁当の提供サービスに先立ち、飲食材Ｂが入った弁当箱Ａが、バット４の床部５上に、平面的に複数個並べて収納される（図１の（３）図，図２の（１）図を参照）。
【００２０】
（２）そして、このように弁当箱Ａを収納したバット４は、ヒーター１上に載せられる（図２の（２）図，図３の（１）図を参照）。
【００２１】
（３）それから、弁当箱Ａ内の飲食材Ｂが、バット４を介し、ヒーター１にて加熱される。ヒーター１の熱は、ヒーター１→バット４→弁当箱Ａ→飲食材Ｂへと、下から上へと熱伝導により伝達される。
【００２２】
（４）さて、このようなヒーター１による加熱に際し、本発明では、バット４に設けられた貫通穴や凹部よりなる穴部７に、弁当箱Ａの突状足Ｄが埋設される（図２の（２）図，図３の（１）図を参照）。
【００２３】
（５）これにより、バット４の床部５上に、弁当箱Ａの底面Ｃが直接面接触する。前述したこの種従来例のように（図３の（２）図，図４を参照）、バット２の床部３と弁当箱Ａの底面Ｃ間に、弁当箱Ａの突状足Ｄが介在し、両者間に間隙Ｈが存する事態は、解消される。両者は、直に面接触する。
【００２４】
（６）もって、バット４と弁当箱Ａ間の接触面積が、大きく増加する。前述したこの種従来例のように、小さな突状足Ｄのみを介して、バット２と弁当箱Ａが接していたのに比し（図３の（２）図を参照）、両者の接触面積が大幅に増加する。
【００２５】
（７）従ってヒーター１の熱が、バット４の床部５→弁当箱Ａの底面Ｃ→飲食材Ｂへと、広い接触面積の面接触のもとで、直に伝達される。
【００２６】
（８）本発明では、このように熱伝導性が向上し、熱の伝わり方が極めて良好となり、加熱効率が大きく向上する。
【００２７】
（９）なお、バット４に設けられる穴部７は、前述したように、その位置，形状，サイズ，大きさ等が、ゆとりを持って設定されており、汎用性に富んでいる。
もって、このバット４は、各種弁当箱Ａ用にそれぞれ専用品を予め準備する必要がなく、その数や種類が少なくて済む。各種設定の弁当箱Ａに対応使用可能であり、その保管管理が容易であり、使い勝手が向上し、種類集約によりコストも低減される。
作用等については、以上のとおり。
【符号の説明】
【００２８】
１  ヒーター
２  バット（従来例）
３  床部（従来例）
４  バット（本発明）
５  床部（本発明）
６  外周端縁
７  穴部
Ａ  弁当箱
Ｂ  飲食材
Ｃ  底面
Ｄ  突状足
Ｅ  上下寸法
Ｆ  肉厚寸法
Ｇ  深さ
Ｈ  間隙
【図１】
0006548461.tif 000002
【図２】
0006548461.tif 000003
【図３】
0006548461.tif 000004
【図４】
0006548461.tif 000005